(57)【特許請求の範囲】
【請求項１】
ガス燃料で火葬する燃料供給系統（２）と燃焼に必要な空気を挿入する空気供給系統（６）とを備える火葬炉用バーナにおいて、その燃料供給系統中に、空気供給系統の空気圧をローデング圧として、空気供給系統の空気圧とほぼ同様の圧力に制御する均圧弁（１５）を介在し、該均圧弁（１５）とバーナ（３）の燃料ポート（４）間に、ガス燃料の各種別固有の発熱量に応じてガス燃料の流量を調節する流量調節弁（１６）を設け、
前記流量調節弁（１６）が、燃料供給系統（２）の供給元側と供給先側とを結合する一対のフランジ（１８）と、各フランジ（１８）に添設した両シートパッキング（１９）間に密着して挾持され、ガス燃料の流量を調節する通孔（２２）を備えたオリフィスプレート（２１）とで構成し、
両シートパッキング（１９）間に挾持されたオリフィスプレート（２１）をフランジ（１８）の両端よりも突出する長さに形成し、その突出する部分に通孔（２２）の開閉度を表示する目盛り（２３）を刻設し、一方のフランジ（１８）に指針（２４）を設け、目盛り（２３）と指針（２４）によって使用するガス燃料の種類に従った流量を設定する指示部（２５）を構成し、
一対のフランジ（１８）の外側からオリフィスプレート（２１）を締め付けるボルトナット（２０）を緩めた場合には、ボルトナットの軸部をガイドとしてオリフィスプレート（２１）を摺動可能に設け、使用するガス燃料の種類に対応する目盛り（２３）に指針（２４）を合わせることによって燃料供給系統の管の内径と通孔（２２）との関係を同心円状又は偏心させて通孔（２２）の絞り率を変更することを特徴とする火葬炉用バーナへのガス燃料供給装置。
【発明の詳細な説明】
【０００１】
【発明の属する技術分野】
本発明は、バーナにガス燃料と燃焼空気とを供給して火葬する際に、たまたまガス燃料の種類を交換して火葬する必要が生じた場合に、ガス燃料の種類に適応した専用のバーナと取り換ることなく、既設のバーナをそのまま使用して火葬することができる火葬炉用バーナへのガス燃料供給装置に関する。
【０００２】
【従来の技術】
特に火葬の燃料として都市ガスを使用している場合に発生するが、たまたま地震などの災害によって都市ガスの供給が長期間に亘って給止されることがある。しかし火葬炉はその性質上迅速に火葬処理する必要があることから、緊急に他の種類のガス燃料と切り換えて火葬を行わなければならないが、既設の都市ガス専用のバーナに他のガス燃料を直接供給することができず、従来は、変更して使用するガス燃料、例えばＬＰＧであれば、その特有の発熱量に応じたバーナ本体と交換するか、あるいはバーナ内に設けているノズルを取り換えなければならなかった。
【０００３】
【発明が解決しようとする課題】
以上のように火葬炉のバーナあるいはそのノズルを交換する作業は、専門の技術者に委ねなければならず、しかも火葬炉には少なくとも主燃焼室用のバーナと再燃焼室用のバーナとの２基所有するものであり、その上１つの葬祭場には一般には１０基乃至それ以上の複数の火葬炉を備えるものであるから、その取り換えに多くの時間が掛かると共に、取り換えたバーナを１基ごとに調整する必要もあり、稼働までに複数日が費やされ、また経済的にも大きな負担となるものであった。
【０００４】
そこで本発明は既設のバーナを取り付けたままで、そのバーナに通常使用されていたガス燃料とは異なる他のガス燃料を供給して、しかも正常に燃焼することができるようにする。
【０００５】
【課題を解決するための手段】
【０００６】
また本発明による解決手段は、ガス燃料で火葬する燃料供給系統と燃焼に必要な空気を挿入する空気供給系統とを備える火葬炉用バーナにおいて、その燃料供給系統中に、空気供給系統の空気圧をパイロット圧として、空気供給系統の空気圧とほぼ同様の圧力に制御する均圧弁を介在し、該均圧弁とバーナの燃料ポート間に、ガス燃料の各種別固有の発熱量に応じてガス燃料の流量を調節する流量調節弁を設けている。
【０００７】
更に前記流量調節弁を、燃料供給系統の供給元側と供給先側とを結合する一対のフランジと、各フランジに添設した両シートパッキング間に密着して挾持してあると共に、ガス燃料の流量を調節する通孔を備えたオリフィスプレートとで構成し、両シートパッキング間に挾持されたオリフィスプレートをフランジの両端よりも突出する長さに形成し、その突出する部分に通孔の開閉度を表示する目盛りを刻設し、一方のフランジに指針を設け、目盛りと指針によって使用するガス燃料の種類に従った流量を設定する指示部を構成し、一対のフランジの外側からオリフィスプレートを締め付けるボルトナットを緩めた場合には、ボルトナットの軸部をガイドとしてオリフィスプレートを摺動可能に設け、使用するガス燃料の種類に対応する目盛りに指針を合わせることによって燃料供給系統の管の内径と通孔との関係を同心円状又は偏心させて通孔の絞り率を変更することを特徴とする。
【０００８】
【作用】
以上の構成によれば、ガス燃料を変更する必要が生じた時には、変更するガス燃料に切り換え、その発熱量に応じて流量を調節すれば、その調整する前の流動圧が空気供給系統の圧によって調整されていることから、そのガス燃料に適した流量でバーナに供給され、適切な燃焼が行われるものである。
【０００９】
更に、オリフィスプレートを両フランジ間に挾持した流量調節弁が取り付けてあるので、火葬処理中に誤ってオリフィスプレートに触れても、両フランジ間に固定的に挾持されているから、オリフィスプレートがずれ動くことがなく、設定された状態を確実に保持して所定のガス燃料を供給することができるようになる。
【００１０】
【発明の実施の形態】
火葬炉には直接火葬する主バーナと、火葬時に発生する未燃焼ガスを更に燃焼する副バーナとを設けているのが一般的であり、しかもガス燃料を使用する場合には、そのガス燃料の種類に応じた機種のバーナが取り付けられている。
【００１１】
本発明は以上の既設の各バーナをそのまま利用するもので、各バーナにはそれぞれ燃料供給系統と空気供給系統を備えるものであり、その各燃料供給系統の供給元側に均圧弁を設け、燃料供給系統の供給先側に流量調節弁を設けるものである。
【００１２】
前記均圧弁は、ローディング圧を掛けるダイアフラムを備えた弁であって、そのローディング圧は前記空気供給系統の空気圧によるものである。
【００１３】
流量調節弁は、燃料供給系統を構成する既設のパイプの断面積を最大から最小に絞って調節できるもので、その調節は交換するガス燃料の種類によって行われるように指示部を設けておくことが好ましい。
【００１４】
ところで、火葬に必要なバーナからの熱量Ｑ kcal/hvは、各種のガス燃料固有の発熱量ｑkcal/Nm3 に対するバーナより放射するガス量Ｖ m3 ／HRによって決まるものであって、これを数式で表せば、
【００１５】
【数式１】
0003795563.tif 000002
【００１６】
となる。上記数式において、火葬に必要なバーナからの熱量Ｑは、どの種類のガス燃料を使用してもほぼ一定であり、またその燃焼熱量に対する空気量もほぼ一定であるから、前述のように、空気供給系統の空気圧によって燃料供給系統に流動するガス圧を均圧弁によって供給する空気圧と同一乃至ほぼ同一状に調整し、そのガスの流量をガス燃料固有の発熱量ｑに応じて流量調節弁によって調節してバーナに供給するものである。
【００１７】
【実施例】
実施例によって具体的に説明すると、前述のように火葬炉には直接火葬する火葬用のバーナと、火葬時に発生した未燃焼ガスを別室で燃焼する再燃用のバーナとを備えるもので、各バーナへのガス燃料及び燃焼空気を供給する構造は両者とも同様であるから、その一方のみについて説明し、図面には同一の部材に同一の符号を用いて記す。
【００１８】
図１に示しているように、ガス燃料供給元管１より延長する燃料供給系統２のパイプをバーナ３の燃料ポート４に連結する一方、バーナ３の空気ポート５にブロアーによって送られる空気供給系統６のパイプを連結し、更に前記ガス燃料供給元管１には、ガス流量計７と開閉弁８とを介在し、燃料供給系統２のパイプに同じく開閉弁９を介在している。また空気供給系統６のパイプには、手動または自動によるエアーコントロール弁１０を備えているもので、以上の構造は従来のものと変わりがない。また各バーナ３は火葬炉の炉壁１１に取り付けてある。
【００１９】
上記構造において、ガス燃料供給元管１に都市ガス、ＬＰＧ、天然ガスなどのガス燃料を個々に受け込むことができる数口の受け口１２〜１４を設ける。従って、例えば都市ガスが給止された時に、その受け口１２をコックによって遮断し、他の受け口１３または１４に他のガス燃料を供給できるように継げば良い。
【００２０】
更に、燃料供給系統２のパイプの中間部に均圧弁１５を介在すると共に、均圧弁１５とバーナ３の燃料ポート４間に流量調節弁１６を介在するものである。
【００２１】
均圧弁１５は前述のように、ローディング圧を掛けるダイアフラムを備えた弁であって、ローディング圧は空気供給系統６から誘導しても良いが、バーナ３内に給入された末端側の空気を誘導することが最も好ましい。
【００２２】
流量調節弁１６は、図２と図３に示しているように、燃料供給系統２のパイプの中間部を切断し、その切断した位置に介入するもので、パイプの切断口にねじ込みによって差し込まれる連結管１７の一方口にフランジ１８を一体に設けた一対の部材からなり、両部材のフランジ１８同士を双方に添設したシートパッキング１９を介して複数のボルトナット２０で密着していると共に、両シートパッキング１９間にオリフィスプレート２１を介在したもので、ボルトナット２０の締め付けによってオリフィスプレート２１が両シートパッキング１９に密着してガス漏れが防止される。また上記ボルトナット２０はフランジ１８の同心円上に等間隔をおいて設けている。
【００２３】
上記オリフィスプレート２１は長方形の金属板で、前記両部材間に挟着した際、フランジ１８の両端より充分に突出する長さに形成してあると共に、その幅が図２から図４に示しているように、前記上下に有する各ボルトナット２０の雄ネジを有する軸部間に当接した状態で嵌まり込むように形成してある。またこのオリフィスプレート２１には連結管１７の内径と等しい通孔２２が明けてある。但し必ずしも連結管１７の内径と精密に同径に形成する必要がなく、やや大きくあるいは僅かに小さくても良い。
【００２４】
また、前記オリフィスプレート２１のフランジ１８より突出する部分に通孔２２の開閉度を表示する目盛り２３を刻設し、一方のフランジ１８に指針２４を設け、この目盛り２３と指針２４によって、使用するガス燃料の種類に従った流量を設定する指示部２５を構成するものである。
【００２５】
以上のオリフィスプレート２１で流量を加減するには、ボルトナット２０を緩めてオリフィスプレート２１を、各ボルトナット２０の前記軸部をガイドとして摺動し、切り換えて使用するガス燃料の種類に対応する目盛り２３に指針２４を合わせることによって、連結管１７の内径を通孔２２で小さく絞られるものである。しかもオリフィスプレート２１を抜き差しする際、上述のように各ボルトナット２０の軸部に沿って摺動するものであるから、オリフィスプレート２１が傾くことがなく、内径の絞り率を目盛り２３に従って正確に設定することができるものである。
【００２６】
オリフィスプレート２１は上記構造に限るものではなく、図４に示しているように、オリフィスプレート２１にガス燃料に適応した大中小の径の異なった複数の通孔２２を間隔を開けて列設し、各通孔２２に対応してフランジ１８より突出する指定片２６を一体に突設しても良い。
【００２７】
更に他の例として、図５に示しているように、１枚の板ごとに各ガス燃料に応じた大中小の通孔２２を１つ明け、各板に指定片２６を突設したものであっても良く、この場合は、ガス燃料を交換するごとに、そのガス燃料に適応したオリフィスプレート２１を指定片２６に従って選び、両フランジ１８間に挟着するものである。但し、前記図４と図５に示す例の場合には、通孔２２の全開放口が連結管１７の開放口内に存在するように設定する必要がある。その設定を外部より正確に行われるように、図示してないが、各指定片２６とフランジ１８とに中心線を表示することが好ましい。
【００２８】
尚、流量調節弁には周知のように種々の形態のものがあり、例えばハンドルを回して調整するもの、あるいは電磁弁で自動的に調節するもの等があるが、火葬作業員がたまたま誤ってこの弁に触れて流量を変えられる恐れがあり、非常に危険でもあることから、上記構造を持つ流量調節弁１６を取り付けることにより、誤って触れても、オリフィスプレート２１がボルトナット２０で締め付けてあり強固に固着されているので、ボルトナット２０を緩めない以上、安全を確保することができるものである。
【００２９】
【発明の効果】
【００３０】
また本発明による火葬炉用バーナへのガス燃料供給装置によれば、バーナへの燃料供給系統に均圧弁と流量調節弁とを設け、均圧弁にバーナへの空気供給系統の空気圧をローディング圧として与える配管を行うのみで、所期の目的を達成することができものであり、またこの装置を設備してあれば、ガスが給止される緊急時に、流量調節弁を換えて供給するガス燃料に応じて調節することにより、即座に火葬を遂行することができるようになる。
【００３１】
更に、流量調節弁が両フランジ間にオリフィスプレートを挾持したものであれば、一旦調節した後に両フランジの結合を解かない以上、誤って触れてもオリフィスプレートがずれ動く恐れがなく、使用しているガス燃料を確実に安全に燃焼することができる。その上、各ボルトナットの軸部に沿ってオリフィスプレートを摺動するものであるから、オリフィスプレートが傾くことがなく、内径の絞り率を目盛りに従って正確に設定することができるものである。
【図面の簡単な説明】
【図１】  本発明による火葬炉用バーナへのガス燃料供給装置を示す説明図である。
【図２】  本発明による火葬炉用バーナへのガス燃料供給装置に用いる流量調節弁を示す正面図である。
【図３】  図２のＡ−Ａ線矢視の断面図である。
【図４】  流量調節弁の類例の要部を示す正面図である。
【図５】  （イ）（ロ）（ハ）流量調節弁の更に他の類例のもので、そのオリフィスプレートを示す正面図である。
【符号の説明】
２ 燃料供給系統
３ バーナ
４ 燃料ポート
６ 空気供給系統
１５ 均圧弁
１６ 流量調節弁
１８ フランジ
１９ シートパッキング
２１ オリフィスプレート
２２ 通孔
２５ 指示部
【図１】
0003795563.tif 000003
【図２】
0003795563.tif 000004
【図３】
0003795563.tif 000005
【図４】
0003795563.tif 000006
【図５】
0003795563.tif 000007